(57)【特許請求の範囲】
【請求項１】
重ね合わされた状態で相対的に変位する複数枚のシートを備えた装飾具において、
前記複数枚の各シートは、多数の孔部が形成された不透明又は半透明のシート本体を備え、該多数の孔部が規則性を持った位置に散点し、
前記複数枚のシートのいずれかは、磁性体によって形成され、他のいずれかは、マグネットによって形成されていることを特徴とする装飾具。
【請求項２】
前記一方のシートが他方のシートに対して相対的に回転可能とされていることを特徴とする請求項１に記載の装飾具。
【請求項３】
前記各シートの孔部は、各シートそれぞれの全面において同じ規則性を持った位置に散点していることを特徴とする請求項１又は２に記載の装飾具。
【請求項４】
前記孔部の繰り返しのピッチ、孔部の形状及び孔部の口径が各シートそれぞれの全面で単一とされていることを特徴とする請求項１ないし３のいずれか一項に記載の装飾具。
【請求項５】
請求項１ないし４のいずれか一項に記載の装飾具による模様の変化方法であって、
前記いずれかのシートを他のシートに対して相対的に回転運動させ、及び／又は前記いずれかのシートを他のシートに対して相対的に直進運動させることを特徴とする装飾具による模様の変化方法。
【請求項６】
前記いずれかのシートの回転運動及び／又は直進運動の速度を可変としていることを特徴とする請求項５に記載の装飾具による模様の変化方法。
【請求項７】
前記いずれかのシートは、任意の位置で一時的に停止することを特徴とする請求項５又は６に記載の装飾具による模様の変化方法。
【請求項８】
前記いずれかのシートは、回転運動及び直進運動がそれぞれ、独立して運動できるとともに、独立して停止することができ、更に連動した運動が自在とされていることを特徴とする請求項５ないし７のいずれか一項に記載の装飾具による模様の変化方法。
【発明の詳細な説明】
【技術分野】
【０００１】
本発明は、複数枚のシートを重ね合わせ、シートを相対的に移動させることで模様が出現するようにした装飾具及び装飾具による模様の変化（へんげ）方法に関する。
【背景技術】
【０００２】
図形が描かれた複数枚のシートを重ね合わせることで模様を出現させ、この模様が変化するようにした装置が種々提供されている（例えば、特許文献１参照）。特許文献１に記載された装置は、曲線及び直線の組合せによる周期的図形を描画した２枚のモアレシートと、一方のモアレシートを固定し、他方のモアレシートを移動させる駆動機構とを備えている。
【０００３】
駆動機構は、カムやクランクなどによって構成される。両モアレシートが重ね合わされ、駆動機構によって他方のモアレシートが円運動又は揺動することで、モアレ模様が出現する。また、モアレシートは、全体として透明又は半透明としてもよく、周期的図形を着色することで、意匠的効果を高めることができるとされている。
【先行技術文献】
【特許文献】
【０００４】
【特許文献１】登録実用新案第３０６４１７８号公報
【発明の概要】
【発明が解決しようとする課題】
【０００５】
モアレ模様が出現するようにした従来の装置は、モアレシートに曲線及び直線を組み合わせた周期的図形が描かれているだけである。したがって、このモアレシートによって出現するモアレ模様は、予想できる幾何学模様であり、また、万華鏡のように千変万化するものでもないため、例えば通行人や買物客たちの人目を惹き付け、興趣をかきたてるものとなっていない。
【０００６】
そこで、本発明は、人の目を惹き付け、興趣をかきたてる模様が出現するようにした装飾具及びその装飾具による模様の変化方法を提供することを課題とする。
【課題を解決するための手段】
【０００７】
本発明に係る装飾具は、重ね合わされた状態で相対的に変位する複数枚のシートを備えた装飾具において、前記複数枚の各シートは、多数の孔部が形成された不透明又は半透明のシート本体を備え、該多数の孔部が規則性を持った位置に散点し、前記複数枚のシートのいずれかは、磁性体によって形成され、他のいずれかは、マグネットによって形成されていることを特徴としている。
【００１０】
この装飾具によれば、不透明又は半透明のシート本体に形成された多数の孔部が規則性を持った位置に散点していることにより、複数枚のシートが重ね合わされたたときに、各シート本体の孔部が重なり合って連通することで模様が出現する。そして、重ね合わされた複数枚のシートが相対的に面内で変位することにより、連通する孔部が変化し、出現する模様が千変万化のごとく変容する。そして、複数枚のシートのいずれかが磁性体によって形成され、他のいずれかがマグネットによって形成されていることにより、複数枚のシートが磁気吸着され、重なり合った所定の相対位置の状態を維持することができる。
【００１１】
前記本発明に係る装飾具の一態様として、前記一方のシートが他方のシートに対して相対的に回転可能とされていることが好ましい。この装飾具によれば、いずれかのシートを他のいずれかのシートに対して相対的に回転運動させることにより、重なり合った複数枚のシートの各孔部の重なった状態が変化し、連通する孔部によって出現する幾何学模様を万華鏡のように千変万化させることができる。
【００１２】
また、前記本発明に係る装飾具の他態様として、前記各シートの孔部は、各シートそれぞれの全面において同じ規則性を持った位置に散点していてもよい。この装飾具によれば、各シートの孔部が各シートそれぞれの全面において同じ規則性を持った位置に散点していることにより、規則性のある同じ大きさの同じ模様をシート全面に出現させることができる。
【００１３】
また、前記本発明に係る装飾具の異なる他態様として、前記孔部の繰り返しのピッチ、孔部の形状及び孔部の口径が各シートそれぞれの全面で単一とされていてもよい。この装飾具によれば、シートが変位したときに孔部によって出現する模様を統一して繰り返すことができる。
【００１４】
また、本発明に係る装飾具による模様の変化方法は、前記いずれかのシートを他のシートに対して相対的に回転運動させ、及び／又は前記いずれかのシートを他のシートに対して相対的に直進運動させることを特徴としている。
【００１５】
この装飾具による模様の変化方法によれば、いずれかのシートを他のいずれかのシートに対して相対的に回転運動させることにより、又は、相対的に直進運動させることにより、重なり合った複数枚のシートの各孔部の重なった状態が変化し、連通する孔部によって出現する幾何学模様を万華鏡のように千変万化させることができる。また、いずれかのシートは、回転した後、停止した状態で直進するようにすれば、いずれかのシートが回転することで出現した模様が、少なくとも肉眼で変化することなく、そのシートの直進方向と直交する方向に移動する。
【００１６】
また、前記本発明に係る装飾具による模様の変化方法の一態様として、前記いずれかのシートの回転運動及び／又は直進運動の速度を可変としていてもよい。この装飾具による模様の変化方法によれば、シートの回転運動及び／又は直進運動の速度が可変とされていることにより、連続的に変化する模様を予測できないように出現させることができる。
【００１７】
また、前記本発明に係る装飾具による模様の変化方法の他態様として、前記いずれかのシートは、任意の位置で一時的に停止するようにしてもよい。この装飾具による模様の変化方法によれば、連続的に変容していた模様が停止するので、次の移動や変容を想像又は期待意識が芽生えるようにすることができる。
【００１８】
また、前記本発明に係る装飾具による模様の変化方法の異なる他態様として、前記いずれかのシートは、回転運動及び直進運動がそれぞれ、独立して運動できるとともに、独立して停止することができ、更に連動した運動が自在とされていてもよい。この装飾具による模様の変化方法によれば、いずれかのシートが独立して運動し、停止し、更に連動した運動が自在とされることにより、連続的に変化しながら出現する模様を更に予測できないようにすることができる。
【発明の効果】
【００１９】
本発明によれば、人の目を惹き付け、興趣をかきたてる模様を出現させる装飾具及びその装飾具の模様の変化方法を提供することができる。
【図面の簡単な説明】
【００２０】
【図１】図１は、本発明に係る装飾具の一実施形態を示す正面図である。
【図２】図２は、本発明に係る装飾具の一実施形態を示す拡大正面図である。
【図３】図３の（ａ）〜（ｅ）は、本発明に係る装飾具を構成している基本ユニットであって、それぞれ異なる実施形態を示す拡大正面図である。
【図４】図４の（ａ）〜（ｈ）は、本発明に係る装飾具によって出現した異なる模様を示す正面図である。
【図５】図５の（ａ）〜（ｌ）は、本発明に係る装飾具によって出現した異なる模様を示す正面図である。
【図６】図６の（ａ）〜（ｋ）は、本発明に係る装飾具によって出現した異なる模様を示す正面図である。
【図７】図７の（ａ）〜（ｍ）は、本発明に係る装飾具によって出現した異なる模様を示す正面図である。
【図８】図８の（ａ）〜（ｓ）は、本発明に係る装飾具によって出現した異なる模様を示す正面図である。
【図９】図９の（ａ）〜（ｇ）は、本発明に係る装飾具によって出現した異なる模様を示す正面図である。
【図１０】図１０の（ａ）〜（ｊ）は、本発明に係る装飾具によって出現した異なる模様を示す正面図である。
【図１１】図１１の（ａ）〜（ｋ）は、本発明に係る装飾具によって出現した異なる模様を示す正面図である。
【図１２】図１２の（ａ）〜（ｍ）は、本発明に係る装飾具によって出現した異なる模様を示す正面図である。
【図１３】図１３の（ａ）〜（ｓ）は、本発明に係る装飾具によって出現した異なる模様を示す正面図である。
【図１４】図１４の（ａ）〜（ｇ）は、本発明に係る装飾具によって出現した異なる模様を示す正面図である。
【発明を実施するための形態】
【００２１】
本発明に係る装飾具及び装飾具による模様の変化方法の実施形態について図１ないし図１４を参照しながら説明する。この装飾具は、図１、図２に示すように、重ね合わされた状態で相対的に変位する複数枚のシート（この実施形態では、第１シート１０と第２シート２０との２枚とする。）を備えている。
【００２２】
そして、第１シート１０と第２シート２０は、ともに不透明又は半透明の四角形状のシート本体１１，２１に図３に示すような同じ規則性を持った位置に散点した孔部１２，２２を形成したものとされている。図３に示した孔部１２，２２は、ともに長方形（長方形は、隣り合った辺の長さが異なる狭義の長方形だけでなく、四辺の長さが等しい正方形の両方を含む。）の角部の４点と、長方形の中心の１点の合計５点を基本ユニットＡ〜Ｅとしている。
【００２３】
中心の１点は、長方形の対角線の交点であり、換言すれば、長方形の向き合った各縦の辺の中心同士と各横の辺の中心同士を結んだ２本の直線の交点のことである。そして、各基本ユニットＡ〜Ｅのいずれか１つが第１シート１０の全面又は一部に繰り返し並んでいて、更に各基本ユニットＡ〜Ｅのいずれか一つが第２シート２０の全面又は一部に繰り返し並ぶように散在している。勿論、基本ユニットＡ〜Ｅが図３の５種類に限定されることは無い。
【００２４】
具体例として、図３（ａ）に示す基本ユニットＡは、長方形の長辺が４．３４ｍｍ、短辺が２．５ｍｍであり、図３（ｂ）に示す基本ユニットＢは、長方形の長辺が３．２７ｍｍ、短辺が２．１ｍｍであり、図３（ｃ）に示す基本ユニットＣは、長方形の長辺が３．９ｍｍ、短辺が２．１ｍｍであり、図３（ｄ）に示す基本ユニットＤは、長方形の長辺が２．５ｍｍ、短辺が２．１７ｍｍであり、図３（ｅ）に示す基本ユニットＥは、各辺が２．５ｍｍの正方形である。
【００２５】
そして、本発明のシート１０，２０の全面又は一部には、複数の基本ユニットＡ〜Ｅの少なくとも１つが、所定の繰り返しの規則性でもって２次元に形成されている。なお、１枚のシート１０，２０の中に形成されている基本ユニットＡ〜Ｅは、一つであっても良い。
【００２６】
そして、いずれの基本ユニットＡ〜Ｅにおいても、孔部１２，２２は円形であり、その口径Φは、見やすい模様が出現するように、例えば１．０ｍｍ、１．２ｍｍ、１．４ｍｍ、２．０ｍｍ、２．１ｍｍに形成される。また、孔部１２の全ての面積をシート本体１１の面積（孔部１２の面積を含む。）で除した値を開口率ｋとすると、基本ユニットＡにおいて、孔部１２の口径Φが２．２ｍｍであれば、開口率ｋは０．７００となり、孔部１２の口径Φが１．０ｍｍであれば、開口率ｋは０．１４５となる。孔部２２とシート本体２１についても同様である。
【００２７】
同様に、基本ユニットＢにおいて、孔部１２の口径Φが１．５ｍｍであれば、開口率ｋは０．５１４となる。基本ユニットＣにおいて、孔部１２の口径Φが１．７ｍｍであれば、開口率ｋは０．５５４となる。基本ユニットＤにおいて、孔部１２の口径Φが１．４ｍｍであれば、開口率ｋは０．５６７となる。基本ユニットＥにおいて、孔部１２の口径Φが１．４ｍｍであれば、開口率ｋは０．４９２となる。いずれのユニットＢ，Ｃ，Ｄ，Ｅの孔部２２とシート本体２１についても同様である。
【００２８】
ここで、前記のような基本ユニットを並列させた第１シート１０と第２シート２０によって出現する模様について図４ないし図７を参照しながら説明する。ここでは、第１シート１０を固定し、第２シート２０を変位（回転運動又は直線往復動のような動作）させる場合について説明する。
【００２９】
第２シート２０は、手動又は電動によって移動する。電動の場合は、通常のモータと減速機とを組み合わせてもよいし、あるいは、ステッピングモータを採用してもよい。
【００３０】
第１シート１０と第２シート２０がともに基本ユニットＡに口径Φ２．２ｍｍの孔部１２，２２を形成したもの（Ａ２．２）である場合において、第１シート１０を固定し、第２シート２０を０°から３６０°回転したときは、図４に示すような模様が出現する。
【００３１】
図４（ａ）に示すように第２シート２０が回転していない（０°、３６０°）場合及び１８０°回転した場合と、図４（ｄ）に示すように第２シート２０が６０°及び２４０°回転した場合と、図４（ｆ）に示すように第２シート２０が１２０°及び３００°回転した場合は、いずれも第１シート１０の孔部１２と第２シート２０の孔部２２とが完全に重なる状態となり、人目を惹くような模様は出現しない。
【００３２】
しかし、図４（ｂ）に示すように第２シート２０が３０°回転した場合と２１０°回転した場合、図４（ｈ）に示すように第２シート２０が１５０°回転した場合と３３０°回転した場合は、いずれも、第２シート２０の回転中心の位置に円形とも見える１２角形が現れ、且つ或る辺を共有する形で同じ大きさの１２角形が、たて・よこ２次元に次々と形成されている。
【００３３】
また、図４（ｃ）に示すように第２のシートが４５°回転した場合と２２５°回転した場合、図４（ｇ）に示すように第２シート２０が１３５°回転した場合と３１５°回転した場合は、同じ大きさの六角形を隙間無く敷き詰めた模様を呈する。この六角形状の模様は、中心部に比較的大きな連通部が集まり、６個の辺は比較的小さな連通部の集合で形成されている。
【００３４】
そして、第１シート１０と第２シート２０がともに基本ユニットＡに口径Φ２．２ｍｍの孔部１２，２２を形成したもの（Ａ２．２）において、第１シート１０を固定し、第２シート２０を２°、５°、１０°、２０°、３０°、４０°、４５°、５０°、６０°、７０°、８０°、９０°回転したときに出現する模様は、それぞれ図５（ａ）〜（ｌ）に示すように連続的に変化する。
【００３５】
また、第１シート１０と第２シート２０がともに基本ユニットＡに口径Φ２．２ｍｍの孔部１２，２２を形成したもの（Ａ２．２）において、第１シート１０を固定し、第２シート２０を＋２°、−２°、＋５°、−５°、＋１０、−１０°、＋１５°、−１５°、＋２０°、−２０°回転したときに出現する模様は、それぞれ図６（ａ）〜（ｋ）に示すように変化する。第２シート２０の回転角度の絶対値が同じ場合は、同じ模様が出現する。
【００３６】
そして、第１シート１０と第２シート２０がともに基本ユニットＣに口径Φ１．７ｍｍの孔部１２，２２を形成したもの（Ｃ１．７）において、第１シート１０を固定し、第２シート２０を０°（回転していない）、２°、５°、１０°から１０°ずつ９０°までそれぞれ回転したときに出現する模様は、それぞれ図７（ａ）〜（ｌ）に示すように変化する。このＣ１．７の第１シート１０と第２シート２０によって出現する模様は、図５に示したＡ２．２の第１シート１０と第２シート２０によって出現する模様と異なっている。
【００３７】
そして、第１シート１０と第２シート２０がともに基本ユニットＤに口径Φ１．４ｍｍの孔部１２，２２を形成したもの（Ｄ１．４）において、第１シート１０を固定し、第２シート２０を０°（回転していない）から１１０°まで回転したときに出現する模様は、それぞれ図８（ａ）〜（ｓ）に示すように変化し、−１０°から＋１０°までの範囲の角度で回転したときに出現する模様は、それぞれ図９（ａ）〜（ｇ）に示すように変化する。このＤ１．４の第１シート１０と第２シート２０では、縞模様が出現する。
【００３８】
第１シート１０と第２シート２０がともに基本ユニットＥに口径Φ１．５ｍｍの孔部１２，２２を形成したもの（Ｅ１．５）において、第１シート１０を固定し、第２シート２０を−２０°から＋２０°までの範囲の角度で回転したときに出現する模様は、それぞれ図１０（ａ）〜（ｋ）に示すように変化する。Ｄ１．４のシート１０，２０による模様（図９）とＥ１．５のシート１０，２０による模様（図１０）は、±１０°程度の範囲ではわずかに異なるものの、良く似た模様を呈している。
【００３９】
また、第１シート１０が基本ユニットＡに口径Φ２．２ｍｍの孔部１２を形成したもの（Ａ２．２）であり、第２シート２０が基本ユニットＡに口径Φ１．４ｍｍの孔部２２を形成したもの（Ａ１．４）において、第１シート１０を固定し、第２シート２０を−２０°から＋２０°までの範囲の角度で回転したときに出現する模様は、図１１（ａ）〜（ｋ）に示すように変化する。
【００４０】
そして、第１シート１０が基本ユニットＢに口径Φ１．５ｍｍの孔部１２を形成したもの（Ｂ１．５）であり、第２シート２０が基本ユニットＥに口径Φ１．４ｍｍの孔部２２を形成したもの（Ｅ１．５）において、第１シート１０を固定し、第２シート２０を０°から９０°まで回転したときに出現する模様は、図１２（ａ）〜（ｍ）に示すように変化する。
【００４１】
そして、第１シート１０と第２シート２０がともに基本ユニットＤに口径Φ１．４ｍｍの孔部１２，２２を形成したもの（Ｄ１．４）において、第１シート１０を固定し、第２シート２０を第１シート１０に対して２°傾斜（回転後に停止）させ、基本ユニットＤの長辺方向（図面において左右方向）に−１０ｍｍから＋１０ｍｍまで移動（直進運動）したときに出現する模様は、図１３（ａ）〜（ｒ）に示すように、六角形状の比較的明るい部分が最密充填的に積み重なるように出現し、変容することなく移動する。
【００４２】
すなわち、この模様は、基本ユニットＤの長辺方向には移動するように見えず、基本ユニットＤの短辺方向（図面において上下方向）にのみ移動するように見える。図１３の例においては、第２シートが右方（プラス表示）へ移動すると、比例して模様が下方へ移動する。
【００４３】
また、第１シート１０が基本ユニットＡに口径Φ２．２ｍｍの孔部１２，２２を形成したもの（Ａ２．２）であり、第２シート２０が基本ユニットＡに口径Φ１．４ｍｍの孔部１２，２２を形成したもの（Ａ１．４）において、第１シート１０を固定し、第２シート２０を第１シート１０に対して２°傾斜（回転後に停止）させ、基本ユニットの短辺方向（図面において上下方向）に＋１ｍｍから−１ｍｍまで移動したときに出現する模様は、図１４（ａ）〜（ｇ）に示すように変化する。図１４の例においては、第２シートを上方（プラス表示）へ移動すると、比例して模様が右方へ移動する。
【００４４】
この模様は、六角形状の比較的明るい部分が最密充填的に積み重なるように出現し、基本ユニットＡの長辺方向（図面において左右方向）に移動（直進運動）しているように見える。すなわち、第２シート２０が傾斜することで出現した模様が、少なくとも肉眼で変化することなく、第２シート２０の直進方向と直交する方向に移動する。そして、この模様が移動する速度は上記第２シートが移動する速度に比例・連動しており、第２シート２０の移動方向が逆転すると、模様の移動方向も逆転する。
【００４５】
更に、第１シート１０と第２シート２０の相対角度が変化すれば出現する幾何学模様が千変万化するのである。
【００４６】
上記のように、重なり合った第１シート１０と第２シート２０が相対的に変位することにより、出現する模様が万華鏡のように千変万化する。この千変万化は連続的であり、同時に変化のスピードが速まったり落ちたり止まったりしてから、最初の模様に戻ることもある。したがって、この模様は、例えば通路に面したショーウィンドを見ている通行人や店舗内の買物客たちの人目を惹きつけ、多くの人は、模様の変化に見とれてしまい、見飽きることなくショーウィンドに注意が向き、そしてその模様の連通部を通して店内の光が溢れ、店内が視野に入るのである。そして店舗内に誘導されたり、購買意欲が惹起されたりする。
【００４７】
なお、本発明は、上記実施形態に限定することなく種々変更することができる。すなわち、基本ユニットＡ〜Ｅ及び孔部１２，２２の口径Φのサイズは、上記具体例に限定されないことはいうまでもない。
【００４８】
また、孔部１２，２２は、円形に限定することなく、楕円形、星形、多角形、ハート形などの異形としてもよい。ただし、異形の孔部１２，２２は、その面積換算重心が円形の孔部１２，２２の面積換算重心と同じ位置に形成されるように備えられる。また、異形の孔部１２，２２の口径Φは、１個の孔部１２，２２の開口面積と同等な面積を想定した円の直径とする。仮に、これらの孔部１２，２２が隣の孔部１２，２２と干渉（重なる）すると、シートの機械強度が著しく低下するので好ましく無い。
【００４９】
このような孔部１２，２２の口径Φは、１ｍｍ以上であることが好ましい。１ｍｍ未満であると、必要な開口率ｋを得られにくくなるからである。開口率ｋは、０．１以上、０．７５以下であることが好ましい。開口率ｋが０．１未満であると、模様が暗くなるなど見にくくなる。開口率ｋが０．７５よりも大きいと、シート１０，２０の機械的強度が弱くなり、耐久性が乏しくなるだけでなく、模様が明るくなりすぎることで、模様の変容にメリハリが付きにくくなる。なお、一方のシート１０（２０）の開口率ｋが０．１に近いと、他方のシート２０（１０）の開口率ｋが０．４を超えるようにすることで、模様を視認しやすくすることができる。
【００５０】
また、仮に、孔部１２，２２の口径Φを１ｍｍ未満とした場合に必要な開口率ｋを得られるように、隣り合った孔部１２，２２の間隔を短くすると、幾何学模様独特の図柄が小さくなって非常に見づらく、人目を惹くような模様を出現させることができないだけでなく、孔部１２，２２の数が増えることで、シートを製作する時間とコストが増加するため、好ましくない。
【００５１】
一方、孔部１２，２２の口径Φの上限は、装飾具の使用場所などの用途がショーウィンドかショッピングモールの中庭かなどによって異なり、適宜、設定される。ただし、いずれの用途であっても、孔部１２，２２同士が干渉しないように形成されることはいうまでもない。
【００５２】
また、上記実施の形態では、基本ユニットが同じ第１シート１０と第２シート２０とを重ね合わせたもの、そして、異なる基本ユニットの第１シート１０とを第２シート２０を重ね合わせたものとした。この異なる基本ユニットの第１シート１０の孔部１２，２２と第２シート２０の孔部１２，２２の各口径Φが異なる場合において、大きい口径Φを小さい口径Φで除した口径比は、２以下であることが好ましい。口径比が２を超えると、大きな口径の孔部１２，２２を通過する光量が支配的となり、２枚のシートの相対的な移動で出現する模様が単調になるからである。
【００５３】
また、本発明に係る装飾具は、第１シート１０と第２シート２０の基本ユニットが同じで且つ孔径が同じの装飾具において、孔径を変更せずにいずれか片方のシート１０（若しくは２０）の孔部１２（若しくは２２）の繰り返しのピッチを異なるようにしてもよい。このような装飾具にあっては、大きなピッチを小さなピッチで除した値を「繰返し寸法の比」とすると、この繰返し寸法の比は１．３以下であることが好ましい。繰返し寸法の比が１．３よりも大きいと幾何学的模様が現れにくく、あるいは現れても不鮮明になるからである。
【００５４】
また、上記実施形態では、第１シート１０と第２シート２０の全面に基本ユニットＡ〜Ｅのそれぞれを、それぞれの長辺の長さと短辺の長さ（正方形の場合は一辺の長さ）でもって２次元的に繰り返すことで規定される位置において、全面を埋めるように散在させた。ただし、基本ユニットＡ〜Ｅは、シート本体１１，２１の一部分に設けられてもよい。
【００５５】
また、上記実施形態では、各シート１０，２０は全て同じ基本ユニットを備えているとした。ただし、第１シート１０及び第２シート２０は、ある部分に基本ユニットＡ、他の部分に基本ユニットＢというように異なる基本ユニットを組み合わせたものとしてもよい。また、上記実施形態では、各ユニットＡ〜Ｅの孔部１２，２２それぞれは、すべて同じ口径Φに形成した。ただし、孔部１２，２２は、シートの或る一部分を異なる口径Φに形成してもよいし、円形と異形とを組み合わせたものとしてもよい。
【００５６】
また、上記実施形態の装飾具は、第１シート１０を固定し、第２シート２０を移動させた。ただし、装飾具は、第１シート１０と第２シート２０の両方を移動させてもよい。また、第１シート１０又は第２シート２０は、直進した後に回転するようにしてもよい。
【００５７】
また、装飾具は、３枚以上のシート１０，２０を備えてもよい。本発明では、２枚のシート１０，２０で十分な機能を発揮するが、３枚を超えても本発明の機能を損なわない限り許容される。そして例えば３枚目が着色された半透明なシートであっても良く、それが規則性を持った位置に孔部があけられていても良い。この場合は、全てのシートを移動させるのではなく、１枚のシートを固定することで、出現する模様の変化を容易に制御することができる。固定されたシートの孔部のピッチや口径は、相対的に移動するシートの孔部のピッチや口径と異なっていてもよい。
【００５８】
また、上記実施形態の基本ユニットＡ〜Ｅは、２辺の長さを規定した長方形の角部の４点と、長方形の中心の１点の合計５点に孔部１２，２２を形成した。ただし基本ユニットＡ〜Ｅは、一辺の長さとその辺を基準とした角度でもって規定される長方形の頂点４点とその中心の１点の計５点としても良い。
【００５９】
また、上記実施形態の基本ユニットＡ〜Ｅは、２辺の長さを規定した四角形の直角に隣り合った二つの辺の長さによって規定した。ただし、基本ユニットは、一辺と、その一辺に対する角度（例えば３０°や４５°）を異ならせたもので規定してもよい。孔部１２，２２を一定の角度ごとに形成することにより、シート１０，２０を回転させたときに、出現する模様はどの位置でも同じとなる。
【００６０】
また、上記実施形態の基本ユニットＡ〜Ｅは、長方形の角部の４点と、長方形の中心の１点の合計５点に孔部１２，２２を形成した。ただし、基本ユニットＡ〜Ｅは、長方形の中心に孔部１２，２２を形成することなく、長方形の角部の４点に孔部１２，２２を形成するものとしてもよい。
【００６１】
なお、孔部１２，２２を四角形の辺の長さに基づいて形成した場合において、シート１０，２０を回転させたときは、中心から離れる孔部１２，２２ほどずれて重なり合う状態となる。ただし、シート１０，２０が回転運動をしていることにより、孔部１２，２２同士がずれていることに気付くことは難しく、また、模様の千変万化にかき消されてしまう。
【００６２】
また、上記実施形態では、第１シート１０と第２シート２０のいずれか一方は、磁性体によって形成され、他方は、マグネットによって形成しても良い。こうすることにより、第１シート１０と第２シート２０とが磁気吸着され、移動した第２シート２０を確実に一時停止させることができる。ただし、第１シート１０と第２シート２０は、磁着されない金属やプラスチックや紙などで形成してもよい。
【００６３】
本発明の装飾具は、調光具としての機能も有しているので、窓に装着して使用することが出来る。本発明の装飾具は、光が透過する部分の形状が千変万化することを利用して、ランプシェードやイベントホールなどの投光器に用いることが出来る。これらに使用された本発明の装飾具は、シート１０，２０が黒っぽく、或いはカラフルに着色されることで、興趣をよりかきたてることができる。
【符号の説明】
【００６４】
１０  シート（第１シート）
１１  シート本体
１２  孔部
２０  シート（第２シート）
２１  シート本体
２２  孔部
Ａ，Ｂ，Ｃ，Ｄ，Ｅ  基本ユニット
【要約】      （修正有）【課題】人の目を惹き付け、興趣をかきたてる模様が出現するようにした装飾具及びその装飾具による模様の変化方法を提供する。【解決手段】この装飾具は、重ね合わされた状態で相対的に変位する第１シート１０と第２シート２０とを備えている。第１シート１０と第２シート２０は、多数の孔部１２，２２が形成された不透明又は半透明のシート本体１１，２１を備え、多数の孔部１２，２２が規則性を持った位置に散点している。また、シート本体１２，２２は、長方形の角部の４点と、その中心の１点の合計５点を基本ユニットとして、基本ユニットが２次元（シート全面）に繰り返されていて、５点相当部にある孔部がシート全面に規則正しく散点している。【選択図】図１【図１】
0005997310.tif 000002
【図２】
0005997310.tif 000003
【図３】
0005997310.tif 000004
【図４】
0005997310.tif 000005
【図５】
0005997310.tif 000006
【図６】
0005997310.tif 000007
【図７】
0005997310.tif 000008
【図８】
0005997310.tif 000009
【図９】
0005997310.tif 000010
【図１０】
0005997310.tif 000011
【図１１】
0005997310.tif 000012
【図１２】
0005997310.tif 000013
【図１３】
0005997310.tif 000014
【図１４】
0005997310.tif 000015